(57)【要約】【課題】携帯性及び収納性に劣り、開いた後の体積も大き目なため、小さ目の空間で演奏することは困難であるという従来の問題点を改善する折り畳み式ギターを提供する。【解決手段】折り畳み式ギターは、ギター本体１０と、第１の支持杆２０と、第２の支持杆３０とを備える。ギター本体１０は、長尺状を呈し、ボディ１１と、ネック１２と、ヘッド１３と、複数の弦１４とを有する。ボディ１１の正面には、ブリッジ１１０が設けられる。ネック１２は、ボディ１１の一端から延びる。ヘッド１３は、ネック１２の他端に結合される。ヘッド１３上には、複数のペグ１３０が設けられる。弦１４は、ペグ１３０に一端がそれぞれ結合され、他端がネック１２の正面を通ってブリッジ１１０に至るまで延びる。第１の支持杆２０は、帯状を呈し、ギター本体１０の背面に揺動可能に結合される。【選択図】図１
2018066980.tif 000002
【特許請求の範囲】
【請求項１】
ギター本体と、第１の支持杆と、第２の支持杆とを備えた折り畳み式ギターであって、
前記ギター本体は、長尺状を呈し、ボディと、ネックと、ヘッドと、複数の弦とを有し、前記ボディの正面には、ブリッジが設けられ、前記ネックは、前記ボディの一端から延び、前記ヘッドは、前記ネックの他端に結合され、前記ヘッド上には、複数のペグが設けられ、前記弦は、前記ペグに一端がそれぞれ結合され、他端が前記ネックの正面を通って前記ブリッジに至るまで延び、
前記第１の支持杆は、帯状を呈し、前記ギター本体の背面に揺動可能に結合され、前記第１の支持杆が前記ギター本体の背後に至るまで揺動されると前記ギター本体に対して平行になるように重なり、前記第１の支持杆の一端に凹部が形成され、前記凹部は、使用者の腕を支え得るように凹弧面状に形成され、
前記第２の支持杆は、帯状を呈し、前記ギター本体の背面に揺動可能に結合され、前記第２の支持杆が前記ギター本体の背後に至るまで揺動されると前記ギター本体に対して平行になるように重なり、前記第２の支持杆の一端には、前記凹部の形状に対応した凸部が形成され、前記凸部は前記凹部に対応するように嵌入されることを特徴とする折り畳み式ギター。
【請求項２】
前記ボディ中に設けられ、イヤホン及びスピーカに接続されて演奏した音を出力し、使用者により出力する音量が制御されるピックアップをさらに備えることを特徴とする請求項１に記載の折り畳み式ギター。
【請求項３】
前記第１の支持杆及び前記第２の支持杆は、板状を呈するとともに、前記ギター本体の形状に対応した２つの長側辺形状を有し、前記第１の支持杆及び前記第２の支持杆を折り畳んで前記ギター本体の背面に収納すると、前記ギター本体の正面からは見られないことを特徴とする請求項１に記載の折り畳み式ギター。
【請求項４】
前記第１の支持杆及び前記第２の支持杆は、前記ボディの背面に揺動可能に結合されることを特徴とする請求項１に記載の折り畳み式ギター。
【請求項５】
前記第１の支持杆は、前記ボディの背面の終端部の近い個所に揺動可能に結合され、
前記第２の支持杆は、前記ボディの背面の終端部から遠い個所に揺動可能に結合されることを特徴とする請求項４に記載の折り畳み式ギター。
【請求項６】
前記第１の支持杆及び前記第２の支持杆は、２つの結合モジュールを介して前記ギター本体の背面に結合されることを特徴とする請求項１に記載の折り畳み式ギター。
【請求項７】
各前記結合モジュールは、ナット、ボルト及びゴムリングを有し、
前記ナットは、前記ギター本体の背面中に沈設され、
前記ボルトは、前記第１の支持杆又は前記第２の支持杆に挿通されて前記ナットに螺合され、
前記ゴムリングには、前記ボルトが挿通され、前記ボルトの頭部と前記第１の支持杆又は前記第２の支持杆との間に前記ゴムリングが挟圧されることを特徴とする請求項６に記載の折り畳み式ギター。
【請求項８】
前記第１の支持杆上には、一方の前記結合モジュールの前記ボルトを挿通させる第１の穿孔が形成され、
前記第１の穿孔の外端には、一方の前記結合モジュールの前記ゴムリング及び前記ボルトの頭部を収容する、内径が大き目の第１の凹溝が形成され、
前記第２の支持杆上には、他方の前記結合モジュールの前記ボルトを挿通させる第２の穿孔が形成され、前記第２の穿孔の外端には、他方の前記結合モジュールの前記ゴムリング及び前記ボルトの頭部を収容する、内径が大き目の第２の凹溝が形成されることを特徴とする請求項７に記載の折り畳み式ギター。
【請求項９】
前記結合モジュールのそれぞれは、複数のナット、ボルト及びゴムリングを有し、
前記ナットは、前記ギター本体の背面中に間隔をおいて沈設され、
前記ボルトは、前記第１の支持杆又は前記第２の支持杆に挿通されて前記ナットに螺合され、
前記ゴムリングには、前記ボルトが挿通され、前記ボルトの頭部と前記第１の支持杆又は前記第２の支持杆との間に前記ゴムリングが挟圧され、
前記第１の支持杆上には、一方の前記結合モジュールの前記ボルトを挿通させる第１の穿孔が形成され、前記第１の穿孔の外端には、一方の前記結合モジュールの前記ゴムリング及び前記ボルトの頭部を収容する、内径が大き目の第１の凹溝が形成され、
前記第２の支持杆上には、他方の前記結合モジュールの前記ボルトを挿通させる第２の穿孔が形成され、前記第２の穿孔の外端には、他方の前記結合モジュールの前記ゴムリング及び前記ボルトの頭部を収容する、内径が大き目の第２の凹溝が形成されることを特徴とする請求項６に記載の折り畳み式ギター。
【請求項１０】
前記第１の支持杆上には、使用者がそのうちの一つを選択し、一方の前記結合モジュールの前記ボルト及び前記ゴムリングを挿通させる、間隔をおいて形成された複数の前記第１の穿孔と、前記第１の穿孔にそれぞれ対応した複数の第１の凹溝とが形成され、
前記第２の支持杆上には、使用者がそのうちの一つを選択し、他方の前記結合モジュールの前記ボルト及び前記ゴムリングを挿通させる、間隔をおいて形成された複数の前記第２の穿孔と、前記第２の穿孔にそれぞれ対応した複数の第２の凹溝とが形成されることを特徴とする請求項９に記載の折り畳み式ギター。
【発明の詳細な説明】
【技術分野】
【０００１】
本発明は、折り畳み式ギターに関し、特に、折り畳んだ後に体積が小さくなって大きなスペースをとらず、収納性及び携帯性に優れ、開くと各使用者個人の実際の必要に応じて調整して最適に支えることができ、使い勝手が良い折り畳み式ギターに関する。
【背景技術】
【０００２】
一般の練習用ギター、無音ギター又はエレキギターは、それ自体が直接大きな音を発する必要がないため、共鳴させて音源を増幅させる体積が大きな共鳴箱を省略することができ、携帯性に優れて使い勝手が良い。また、身体上で支えて演奏し易くなるように、大型で重い共鳴箱の代わりに、小型で軽量な枠形状のサドルがボディ上に設けられていた。
【０００３】
初期の枠形状のサドルは、分離可能な方式でボディの両側に取り付けられ、使用しないときには２つのサドルを取り外し、使用するときに２つのサドルを取り付けていた。そのため、取り外した２つのサドルは別途携帯しなければならず、携帯性に劣るという問題点があり、使用する際、サドルを探しても見つからなかったり、組立に時間がかかってしまったりする問題点があった。
【０００４】
そのため、上述したような従来の問題点を改善する折り畳み式ギター構造が一部のメーカーにより開発されている。このような従来の折り畳み式ギターは、主にボディの両側に湾曲した長尺状の２つのサドルがそれぞれ取り付けられ、２つのサドルの端部がボディ上に回転可能に結合され、使用しないときには、２つのサドルを折り畳んで体積を約半分にすることができるため、携帯性及び収納性に優れる。また、使用するときは、２つのサドルをボディの両側へ至るまで互いに対をなすように外方へ開き、演奏者の身体で支えて演奏することができる。２つのサドルがボディ上に結合されるため、実際に使用する際、サドルを探しても見つからなかったり、組立に時間がかかってしまったりする問題点があった。しかし、従来の折り畳み式ギターは、２つのサドルをボディの正面で前方へ折り畳んでも体積が約半分にしかならず、依然として大きなスペースをとり、携帯性及び収納性に劣っていた。
【０００５】
初期の組み合わせ式枠形状サドル及び従来の折り畳み式枠形状ギターはともに開くと体積が大き目となるため、枠形状構造の体積により制限を受け、演奏するときに大き目の空間が必要であった。そのため、例えば長距離バス、電車の座席など、小さな空間で演奏するには適していなかった。
【０００６】
上述したことから分かるように、従来の折り畳み式ギターは、折り畳んでも体積が大き目であり、携帯性及び収納性に劣り、開いた後の体積も大き目なため、小さ目の空間で演奏することは困難であるという問題点があった。
【発明の概要】
【発明が解決しようとする課題】
【０００７】
本発明の主な目的は、折り畳んでも体積が大き目であり、携帯性及び収納性に劣り、開いた後の体積も大き目なため、小さ目の空間で演奏することは困難であるという従来技術の問題点を改善する折り畳み式ギターを提供することにある。
【課題を解決するための手段】
【０００８】
上記課題を解決するために、本発明の第１の形態によれば、ギター本体と、第１の支持杆と、第２の支持杆とを備えた折り畳み式ギターであって、前記ギター本体は、長尺状を呈し、ボディと、ネックと、ヘッドと、複数の弦とを有し、前記ボディの正面には、ブリッジが設けられ、前記ネックは、前記ボディの一端から延び、前記ヘッドは、前記ネックの他端に結合され、前記ヘッド上には、複数のペグが設けられ、前記弦は、前記ペグに一端がそれぞれ結合され、他端が前記ネックの正面を通って前記ブリッジに至るまで延び、
前記第１の支持杆は、帯状を呈し、前記ギター本体の背面に揺動可能に結合され、前記第１の支持杆が前記ギター本体の背後に至るまで揺動されると前記ギター本体に対して平行になるように重なり、前記第１の支持杆の一端に凹部が形成され、前記凹部は、使用者の腕を支え得るように凹弧面状に形成され、前記第２の支持杆は、帯状を呈し、前記ギター本体の背面に揺動可能に結合され、前記第２の支持杆が前記ギター本体の背後に至るまで揺動されると前記ギター本体に対して平行になるように重なり、前記第２の支持杆の一端には、前記凹部の形状に対応した凸部が形成され、前記凸部は前記凹部に対応するように嵌入されることを特徴とする折り畳み式ギターが提供される。
【０００９】
前記ボディ中に設けられ、イヤホン及びスピーカに接続されて演奏した音を出力し、使用者により出力する音量が制御されるピックアップをさらに備えることが好ましい。
【００１０】
前記第１の支持杆及び前記第２の支持杆は、板状を呈するとともに、前記ギター本体の形状に対応した２つの長側辺形状を有し、前記第１の支持杆及び前記第２の支持杆を折り畳んで前記ギター本体の背面に収納すると、前記ギター本体の正面からは見られないことが好ましい。
【００１１】
前記第１の支持杆及び前記第２の支持杆は、前記ボディの背面に揺動可能に結合されることが好ましい。
【００１２】
前記第１の支持杆は、前記ボディの背面の終端部の近い個所に揺動可能に結合され、前記第２の支持杆は、前記ボディの背面の終端部から遠い個所に揺動可能に結合されることが好ましい。
【００１３】
前記第１の支持杆及び前記第２の支持杆は、２つの結合モジュールを介して前記ギター本体の背面に結合されることが好ましい。
【００１４】
各前記結合モジュールは、ナット、ボルト及びゴムリングを有し、前記ナットは、前記ギター本体の背面中に沈設され、前記ボルトは、前記第１の支持杆又は前記第２の支持杆に挿通されて前記ナットに螺合され、前記ゴムリングには、前記ボルトが挿通され、前記ボルトの頭部と前記第１の支持杆又は前記第２の支持杆との間に前記ゴムリングが挟圧されることが好ましい。
【００１５】
前記第１の支持杆上には、一方の前記結合モジュールの前記ボルトを挿通させる第１の穿孔が形成され、前記第１の穿孔の外端には、一方の前記結合モジュールの前記ゴムリング及び前記ボルトの頭部を収容する、内径が大き目の第１の凹溝が形成され、前記第２の支持杆上には、他方の前記結合モジュールの前記ボルトを挿通させる第２の穿孔が形成され、前記第２の穿孔の外端には、他方の前記結合モジュールの前記ゴムリング及び前記ボルトの頭部を収容する、内径が大き目の第２の凹溝が形成されることが好ましい。
【００１６】
前記結合モジュールのそれぞれは、複数のナット、ボルト及びゴムリングを有し、前記ナットは、前記ギター本体の背面中に間隔をおいて沈設され、前記ボルトは、前記第１の支持杆又は前記第２の支持杆に挿通されて前記ナットに螺合され、前記ゴムリングには、前記ボルトが挿通され、前記ボルトの頭部と前記第１の支持杆又は前記第２の支持杆との間に前記ゴムリングが挟圧され、前記第１の支持杆上には、一方の前記結合モジュールの前記ボルトを挿通させる第１の穿孔が形成され、前記第１の穿孔の外端には、一方の前記結合モジュールの前記ゴムリング及び前記ボルトの頭部を収容する、内径が大き目の第１の凹溝が形成され、前記第２の支持杆上には、他方の前記結合モジュールの前記ボルトを挿通させる第２の穿孔が形成され、前記第２の穿孔の外端には、他方の前記結合モジュールの前記ゴムリング及び前記ボルトの頭部を収容する、内径が大き目の第２の凹溝が形成されることが好ましい。
【００１７】
前記第１の支持杆上には、使用者がそのうちの一つを選択し、一方の前記結合モジュールの前記ボルト及び前記ゴムリングを挿通させる、間隔をおいて形成された複数の前記第１の穿孔と、前記第１の穿孔にそれぞれ対応した複数の第１の凹溝とが形成され、前記第２の支持杆上には、使用者がそのうちの一つを選択し、他方の前記結合モジュールの前記ボルト及び前記ゴムリングを挿通させる、間隔をおいて形成された複数の前記第２の穿孔と、前記第２の穿孔にそれぞれ対応した複数の第２の凹溝とが形成されることが好ましい。
【発明の効果】
【００１８】
本発明の折り畳み式ギターは、折り畳んでも体積が大き目であり、携帯性及び収納性に劣り、開いた後の体積も大き目なため、小さ目の空間で演奏することは困難であるという従来技術の問題点を改善することができる。
【図面の簡単な説明】
【００１９】
【図１】図１は、本発明の第１実施形態に係る折り畳み式ギターの前側からの分解斜視図である。
【図２】図２は、本発明の第１実施形態に係る折り畳み式ギターの後側からの分解斜視図である。
【図３】図３は、本発明の第１実施形態に係る折り畳み式ギターの後側からの斜視図である。
【図４】図４は、本発明の第１実施形態に係る折り畳み式ギターを示す組立断面図である。
【図５】図５は、本発明の第１実施形態に係る折り畳み式ギターの結合モジュールを示す部分断面図である。
【図６】図６は、本発明の第１実施形態に係る折り畳み式ギターを開くときの動作状態を示す説明図である。
【図７】図７は、本発明の第１実施形態に係る折り畳み式ギターを開くときの動作状態を示す説明図である。
【図８】図８は、本発明の第１実施形態に係る折り畳み式ギターの使用状態の説明図である。
【図９】図９は、本発明の第２実施形態に係る折り畳み式ギターの前側からの分解斜視図である。
【図１０】図１０は、本発明の第３実施形態に係る折り畳み式ギターの後側からの分解斜視図である。
【発明を実施するための形態】
【００２０】
以下、本発明の実施形態について図に基づいて説明する。なお、これによって本発明が限定されるものではない。
【００２１】
（第１実施形態）
図１〜図８を参照する。図１〜図８に示すように、本発明の第１実施形態に係る折り畳み式ギターは、少なくともギター本体１０と、第１の支持杆２０と、第２の支持杆３０とから構成されてなる。
【００２２】
ギター本体１０は、長尺部材を呈し、ボディ１１と、ネック１２と、ヘッド１３と、複数の弦１４とを含む。ボディ１１の正面の終端部近くには、ブリッジ１１０が設けられる。ネック１２は、ボディ１１の一端から延びる。ヘッド１３は、ネック１２の他端に結合される。ヘッド１３上には、複数のペグ１３０が設けられる。複数の弦１４は、複数のペグ１３０に一端がそれぞれ結合され、他端がネック１２の正面を通ってブリッ１１０に至るまで延びる。
【００２３】
第１の支持杆２０は、帯状の板体であるとともに、ボディ１１の背面の終端部の近い個所に揺動可能に結合される。第１の支持杆２０は、ギター本体１０に対応した２つの長側辺形状を有し、第１の支持杆２０を折り畳んでギター本体１０の背面に収納すると、ギター本体１０の正面から見られなくなる。第１の支持杆２０には、ヘッド１３の一端に向かう凹部２１が形成されている。凹部２１は、内側に凹んだ凹弧面状である。
【００２４】
第２の支持杆３０は、帯状の板体であるとともに、ボディ１１の背面の終端部から遠い個所に揺動可能に結合される。第２の支持杆３０は、ギター本体１０に対応した２つの長側辺形状を有し、第２の支持杆３０を折り畳んでギター本体１０の背面に収納すると、ギター本体１０の正面から見られなくなる。第２の支持杆３０には、第１の支持杆２０の一端に形成された凹部２１に対応した形状の凸部３１が形成され、凸部３１は凹部２１に嵌入可能である。
【００２５】
図１〜図５を参照する。図１〜図５に示すように、第１の支持杆２０及び第２の支持杆３０は、２つの結合モジュール４０を介してボディ１１に組み立てられる。各結合モジュール４０は、ナット４１、ボルト４２及びゴムリング４３を含む。ナット４１は、ボディ１１の背面中に沈設されている。ボルト４２は、第１の支持杆２０（又は第２の支持杆３０）に挿通され、ナット４１に螺合される。ゴムリング４３には、ボルト４２が挿通され、ボルト４２の頭部４２０と第１の支持杆２０（又は第２の支持杆３０）との間にゴムリング４３が挟圧される。第１の支持杆２０（又は第２の支持杆３０）上には、ボルト４２を挿通させる第１の穿孔２２（又は第２の穿孔３２）が形成され、第１の穿孔２２（第２の穿孔３２）の外端には、ゴムリング４３及びボルト４２の頭部４２０を収容する、内径が大き目の第１の凹溝２３（第２の凹溝３３）が形成される。
【００２６】
ボルト４２を緩めると、第１の支持杆２０及び第２の支持杆３０がボディ１１上で揺動可能となり、位置決めした後にボルト４２を締め付けると、ゴムリング４３の弾力により第１の支持杆２０及び第２の支持杆３０が適宜な角度で弾性固定される。
【００２７】
図６〜図８を参照する。図６〜図８に示すように、使用者個人の体格及び習慣に応じて第１の支持杆２０及び第２の支持杆３０を揺動して適宜な角度に位置決めし、第１の支持杆２０の凹部２１により使用者の腕を支え、第２の支持杆３０の一端が足部上で支えられて２点で支持されるため演奏し易い。勿論、必要に応じて第２の支持杆３０の他端を胸部で支えて３点で支持したり、ボディの終端部で他方の足部を支えて４点で支持したりしてもよいし、或いは全く支持しなくてもよい。支持方式は、使用者個人の必要に応じて調整することができるが、その調整の方式及び種類は非常に多いため、それらについてここでは詳しく述べない。
【００２８】
（第２実施形態）
図９を参照する。図９に示すように、本発明の第２実施形態に係る折り畳み式ギターは、第１実施形態と略同じであるが、ピックアップ５０をさらに備える点が異なる。ピックアップ５０は、ボディ１１中に設けられ、イヤホン及びスピーカに接続され、演奏した音を出力し、使用者は出力する音量を制御することができる。
【００２９】
（第３実施形態）
図１０を参照する。図１０に示すように、本発明の第３実施形態に係る折り畳み式ギターは、第１実施形態と略同じであるが、各結合モジュール４０が、ボディ１１の背面に間隔をおいて沈設された複数のナット４１を含む点で異なる。第１の支持杆２０（又は第２の支持杆３０）上には、ボルト４２を挿通する複数の第１の穿孔２２（又は第２の穿孔３２）が間隔をおいて形成され、第１の穿孔２２（又は第２の穿孔３２）の外端には、ゴムリング４３及びボルト４２の頭部４２０を収容する、内径が大き目の第１の凹溝２３（又は第２の凹溝３３）が形成されている。使用者は体格又は演奏習慣に応じ、ボルト４２を挿通させるのに最も適した第１の穿孔２２（又は第２の穿孔３２）を選択し、それに適したナット４１を螺合することができるため、柔軟性が高い。
【００３０】
本発明の折り畳み式ギターは、第１の支持杆２０及び第２の支持杆３０がギター本体１０背面に揺動可能に結合され、第１の支持杆２０及び第２の支持杆３０を折り畳んでギター本体１０の背後にギター本体に対して平行に重ね、ギター本体１０の背後に完全に隠すことができる。そのため、折り畳んだ後の体積が小さくなり携帯性が向上する。また、第１の支持杆２０及び第２の支持杆３０が外方へ揺動して開いたときに支持効果を有する上、使用者個人の体格及び使用習慣に応じて第１の支持杆２０及び第２の支持杆３０の角度を適宜調整することができるため、使い勝手が高い。特に、第１の支持杆２０と第２の支持杆３０との突合せ端には、互いに嵌合することが可能な弧形状の凹部２１及び凸部３１が形成され、第１の支持杆２０及び第２の支持杆３０が折り畳まれてギター本体１０の背後に収容されるときに突合わされて完全な全体構造を形成することができる。また、第１の支持杆２０及び第２の支持杆３０を外方へ揺動して開くと、第１の支持杆２０及び第２の支持杆３０の突合せ端は互いに干渉しない。特に、凹弧面状の凹部２１により、演奏者の腕を支えるため、使用者は楽に演奏することができる。また、本発明の折り畳み式ギターを開いても体積が大きくないため、演奏するときにも大き目の空間を占有することはなく、小さ目の空間でも楽に演奏することができる。
【００３１】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００３２】
１０  ギター本体
１１  ボディ
１２  ネック
１３  ヘッド
１４  弦
２０  第１の支持杆
２１  凹部
２２  第１の穿孔
２３  第１の凹溝
３０  第２の支持杆
３１  凸部
３２  第２の穿孔
３３  第２の凹溝
４０  結合モジュール
４１  ナット
４２  ボルト
４３  ゴムリング
５０  ピックアップ
１１０  ブリッジ
１３０  ペグ
４２０  頭部
【図１】
2018066980.tif 000003
【図２】
2018066980.tif 000004
【図３】
2018066980.tif 000005
【図４】
2018066980.tif 000006
【図５】
2018066980.tif 000007
【図６】
2018066980.tif 000008
【図７】
2018066980.tif 000009
【図８】
2018066980.tif 000010
【図９】
2018066980.tif 000011
【図１０】
2018066980.tif 000012